【事件の表示】
　上記当事者間の登録第４２３５３４７号商標の商標登録無効審判事件について、次のとおり審決する。
【結　論】
　本件審判の請求は、成り立たない。
　審判費用は、請求人の負担とする。
【理　由】
１　本件商標
　本件登録第４２３５３４７号商標（以下「本件商標」という。）は、「ＡＰＴＯ」の欧文字を横書きしてなり、平成９年５月１３日に登録出願、第５類「薬剤，歯科用材料，医療用油紙，衛生マスク，ガーゼ，眼帯，脱脂綿，ばんそうこう，包帯，乳児用粉乳，乳糖」及び第４２類に属する商標登録原簿に記載のとおりの役務を指定商品及び指定役務として、同１１年１月２９日に設定登録されたものである。
　
２　請求人の引用商標
　請求人が本件商標の登録無効の理由に引用する登録第１６５７２７８号商標（以下「引用Ａ商標」という。）は、「カプト」の片仮名文字を横書きしてなり、同じく登録第１６８０１０４号商標（以下「引用Ｂ商標」という。）は、「ＣＡＰＴＯ」の欧文字を横書きしてなり、同じく登録第１６８０１０５号商標（以下「引用Ｃ商標」という。）は、「ＣＡＰＴ」の欧文字を横書きしてなるものであり、共に、昭和５６年４月１０日に登録出願、第１類「化学品（他の類に属するものを除く）薬剤、医療補助品」を指定商品として、引用Ａ商標は同５９年２月２３日に、引用Ｂ及びＣ商標は同５９年４月２０日にそれぞれ設定登録されたものである。
　
３　請求人の主張
　請求人は、「本件商標の登録を無効とする。審判費用は被請求人の負担とする。」との審決を求め、その理由を要旨次のように述べ、証拠方法として甲第１号証ないし同第１８号証（枝番を含む。）を提出している。
（１）本件商標の構成は、前記したとおり「ＡＰＴＯ」の欧文字を書してなるものであるから、これより生じる自然の称呼は該構成文字に相応し英語読み風に「アプト」と発音するものと認められる。
　これに対し、引用Ａ商標の構成は、前記したとおり「カプト」の片仮名文字を書してなるものであるから、該構成文字に相応して「カプト」の称呼を生じること明らかである。
　また、引用Ｂ商標と引用Ｃ商標の構成は、前記したとおり「ＣＡＰＴＯ」及び「ＣＡＰＴ」の欧文字を書してなるものであるから、該構成文字に相応して、いずれよりも英語読み風に「キャプト」と発音される場合があることは否定するものではないが、しかしながら、本件商標を含め引用Ｂ商標及び引用Ｃ商標の各指定商品中には医薬品を有するところ、医薬品を取り扱う業界においては、医薬品の一般的名称命名基準の別表第３「音訳法則」に基づいて発音することが常態である。そうとすれば、該音訳法則に徴して本件商標「ＡＰＴＯ」の欧文字からは「アプト」の称呼、引用Ｂ商標「ＣＡＰＴＯ」の欧文字からは「カプト」の称呼並びに引用Ｃ商標「ＣＡＰＴ」の欧文字からも「カプト」の称呼をも生じるものとみるのが社会通念である（甲第１８号証）。
（２）本件商標から生じる称呼「アプト」と引用Ａ、Ｂ及びＣ商標から生じる称呼「カプト」との称呼上の類否について比較考察するに、両者はいずれも３音より構成されてなるうち、語頭音における「ア」と「力」の音の差異を除いては他の構成音を共通にするものである。
　しかして、両称呼の差異音である「ア」と「カ」の音であるが、後者の「カ」（ｋａ）は前者の「ア」（ａ）を母音として帯有するものであるところから、その差が各称呼全体に及ぼす影響は大きいものとはいえないばかりでなく、第２音目の「プ」（ｐｕ）及び第３音目の「ト」（ｔｏ）の子音は、いずれも音の性質（音感及びアクセント）が力の入る響きの強い破裂音であるため、該音に吸収され弱く聴取されることとも相俟って、両者をそれぞれ一気一連に呼称するときは全体の語調、語感が極めて酷似したものとなり、特に口頭・電話によりなされる昨今の商取引の実情を鑑みるとき、称呼上相紛れるおそれが充分あるものといわなければならない。
（３）してみれば、本件商標と引用Ａ、Ｂ及びＣ商標とは、その外観及び観念上の類否について論じるまでもなく、称呼の点において類似の商標であり、かつ、その指定商品も引用Ａ、Ｂ及びＣ商標の指定商品と抵触するものであるから、結局、本件商標の登録は、商標法第４条第１項第１１号に違反してなされたものというべく、同法第４６条第１項第１号の規定により無効とされるべきである。
　
３　被請求人の主張
　被請求人は、結論同旨の審決を求め、要旨次のように答弁し、証拠方法として乙第１号証及び同第２号証（枝番を含む。）を提出している。
（１）請求人の主張するとおり、本件商標の構成は「ＡＰＴＯ」であり、引用Ａ商標の構成は「力プト」、引用Ｂ商標の構成は「ＣＡＰＴＯ」、引用Ｃ商標の構成は「ＣＡＰＴ」である。従って、本件商標が引用Ａ、Ｂ及びＣ商標のいずれとも外観及び観念において類似しないことは明白である。
　そして、本件商標からは「エイピーティーオー」の他に、「アプト」の称呼も生じるとする請求人の主張は認める。また、引用Ａ商標から「力プト」の称呼が生じ、引用Ｂ及びＣ商標からは「キャプト」の他に「力プト」の称呼も生じるとする請求人の主張も認める。
（２）ここで、本件商標の上記称呼「アプト」が引用Ａ、Ｂ及びＣ商標の上記称呼「力プト」とを比較して両者が称呼においても類似しない理由を述べる。
　称呼「アプト」と「力プト」を比較するに、両者は共に３音という極めて短い音数の構成であり、両者は各称呼の語頭に位置する「ア」と「力」の顕著な差異がある。
　そして、「ア」音は有声の開放音で、はっきりした澄んだ音であるのに対して、「力」音は無声の破裂音で、力を入れて発音される音である。このように、両者の構成音中で相違する「ア」音と「力」音とは音質、調音の仕方を全く異にするものであり、両音の音質、調音の仕方の明らかな相違により両音は明確に区別されるものである。さらに、両音は称呼の識別上重要な要素となる語頭に位置するものである。
　従って、両者において相違する「ア」音と「力」音は全く異質のものであり、３音という極めて短い両称呼における両音の差異が両称呼全体に与える影響は極めて大きく、両者を一連に称呼する場合両者はその語韻、語調が格段に相違するものであるから、両者は明確に聴き分けられるものであって、互いに相紛れるおそれは全くないものである。
（３）如上のとおり、請求人の主張は理由がなく、また、本件商標は引用Ａ、Ｂ及びＣ商標のいずれとも外観、観念、称呼のいずれにおいても類似しないものであり、その登録は無効にされるべきものでない。
　
４　当審の判断
　本件商標と引用Ａ、Ｂ及びＣ商標（以下、一括して「引用商標」という。）の類否について検討するに、両商標は、それぞれ前記１及び２のとおりの構成よりなるものであるから、該構成文字に相応して、前者からは「アプト」の称呼をも、また、後者よりは「カプト」の称呼をも生ずるものである。この点に関し、請求人及び被請求人において争いはない。
　そこで、本願商標より生ずる「アプト」の称呼と引用商標より生ずる「カプト」の称呼とを比較するに、両者は共に３音という短い音構成よりなるところ、称呼における識別上重要な要素を占める語頭において、「ア」と「カ」の音の差異を有するものである。そして、前者の「ア」の音が、開放母音で澄んで明瞭に聴取し得る音であるのに対し、後者の「カ」の音は、無声の破裂音で力強く聴取される音であるから、該差異音が両商標の称呼全体に及ぼす影響は大きく、それぞれ一連に称呼した場合、その語感が異なり、充分識別し得るものといわなければならない。
　さらに、本件商標と引用商標とは、共に特定の語意を有しない造語よりなるものと認められるから、観念の異同については比較すべくもなく、また、それぞれの構成からして、外観上においても互いに区別し得るものである。
　してみれば、本件商標と引用商標とは、称呼、観念及び外観のいずれにおいても相紛れるおそれのない非類似の商標といわなければならない。
　したがって、本件商標は商標法第４条第１項第１１号に違反して登録されたものではないから、同法第４６条第１項の規定により、その登録を無効にすることはできない。
　なお、請求人は、過去の審決例を挙げて、本件についても類似である旨主張するが、引用の審決例はいずれも本件とは事案を異にするものであるから、この点に関する請求人の主張は採用しがたい。
　よって、結論のとおり審決する。